(57)【要約】【課題】建物の外部床に降り注がれた雨水や清掃の際に撒かれた水等を、水の拡散作用によって排水（オーバーフロー水の処理）を行い、排水後の床面に水溜りが生じないようにする。【解決手段】建物を構成する建物鉛直部となる壁２０と、対面する壁２０の間に挟まれた建物外部床領域に設けられ、かつ建物の躯体スラブ１面をそのまま利用してで形成されたフラットな防水下地面となる防水層４と、防水層４に固定され、かつ該防水層４より高いレベルである床面２ａが形成された床層２と、建物の外部へ通じる排水口１１を有し、かつ床面２ａより低いレベルである底面１０ａと壁２０及び床層２の側面とにより囲まれて形成された排水溝１０と、を設けてなり、床層２には床面２ａの領域を区分けすると共に端部が排水溝１０に連続した床溝３ａが設けられ、かつ床溝３ａの深さｄが床面２ａに生じる段差ｈに相当する深さまたは段差ｈ以上の深さとする。【選択図】    図１
2008156828.tif 000002
【特許請求の範囲】
【請求項１】
建物を構成する建物鉛直部と、
対面する前記建物鉛直部の間に挟まれた建物外部床領域に設けられ、かつ前記建物の躯体スラブ面をそのまま利用して形成されたフラットな防水下地面と、
前記防水下地面に固定され、かつ該防水下地面より高いレベルである床面が形成された床層と、
前記建物の外部へ通じる排水口を有し、かつ前記床層の床面より低いレベルである底面と前記建物鉛直部及び前記床層の側面とにより囲まれて形成された排水溝と、
を設けてなり、
前記床層には、その床面の領域を区分けすると共にその端部が前記排水溝に連続した床溝が設けられ、かつ該床溝の深さが前記床面に生じる段差に相当する深さまたは該段差以上の深さであること特徴とする建物の外部床の床面構造。
【請求項２】
前記防水下地面と前記床層の間に防水層が形成された請求項１に記載の建物の外部床の床面構造。
【請求項３】
前記床面に生じる段差は、少なくとも躯体スラブ面に設定された不陸の許容公差寸法に相当する深さを考慮したものである請求項１または２に記載の建物の外部床の床面構造。
【発明の詳細な説明】
【技術分野】
【０００１】
本発明は、住宅など建物のベランダや屋根（屋上）或いは集合住宅の外廊下等を含む建物の外部床の構造に関し、特に、雨天時や清掃時の散水により水溜まりが生じることのない外部床の床面構造に関するものである。
【背景技術】
【０００２】
住宅等の建物のベランダや屋根等、または集合住宅の外廊下などの外部床領域は、勾配面（１／５０〜１／１００）を形成して該外部床領域に於ける雨水処理のための排水を考慮している。このように排水用の勾配面を形成したベランダや屋根、または外廊下等の外部床面であっても、水の表面張力作用により表面に留まる水滴が生じる。しかし微量の小さな水滴であれば、自然蒸発により乾いて消失してしまう。
【０００３】
一方、外部床の表面に留まった水滴が完全には自然蒸発せず、排水から取り残されたまま床面に残る水溜りが生じることがある。このような水溜りは床面に部分的に段差や窪みが生じている箇所に発生する。床面に部分的な段差や窪みが生じるのは、勾配面をモルタル材等を使用して金ごてで形成するときの左官職人による施工の精度のばらつきに起因することが多い。そして、床面に部分的に生じた段差や窪みに水が溜まったような場合、建物を使用する者にとっては、滑って転んだり履物が濡れないように配慮しなければならない。
【０００４】
これに対し、特許文献１には、例えば、ベランダや屋根または廊下等の外部床の床面の下地として、工場で生産され、寸法精度が高い勾配下地用の乾式パネルを使用することにより、勾配面を形成する際の防水下地面の精度を高くすることが提案されている。この技術は、下面が水平面で上面が勾配面として構成された複数の勾配板を敷き込んで屋根の防水下地を構成するものであり、モルタルを施工することなく勾配を持った防水下地を構成することができる。
【０００５】
また特許文献２には、ベランダや屋根等の外部床に面した出入り可能な開口部の下端部分の床面からの高さを略一定に保持するために、これらの床面の平面寸法の如何に関わらず、外部床から居室側に水平な水下線を形成し、この水下線に沿って排水溝を設けた技術が提案されている。この技術では、開口部の下端部分の高さは床面の幅寸法や勾配の如何に関わらず、一定に保持することができる。
【０００６】
【特許文献１】特開２００１−０９８７１４号公報
【特許文献２】特開２００５−０９７９１５号公報
【発明の開示】
【発明が解決しようとする課題】
【０００７】
しかし、特許文献１の技術を利用して集合住宅の外廊下領域のように多数の玄関口や外階段の昇降口を有する場合、これらの部分を全て勾配の水上側にするようにすると、勾配下地用の勾配板の割付が複雑になり施工が困難になるため、いきおい、従来の現場モルタルによる勾配下地の施工に頼ることになり、前述の施工精度の悪さを甘受していたのが実状である。
【０００８】
特に、シート防水工法の場合は、せっかく凸凹が無く、精度の高い勾配面が形成できたとしても、継ぎ目部（防水シートの重ね溶接着部）に段差が生じ、この段差が床面に影響を与えて水溜りが生じやすいという問題は解消できない。
【０００９】
そこで、本発明は、建物の外部の床面に降り注がれた雨水や清掃の際に撒かれた水等を、水の拡散作用によって排水（オーバーフロー水の処理）を行い、排水後の床面に水溜りが生じないようにした建物の外部床の床面構造を提供する。
【課題を解決するための手段】
【００１０】
本発明者はベランダや屋根、及び外廊下等の外部床に生じる水溜まりを解消すべく開発を行った。略水平が確保され、かつ排水勾配を設けずに建物の躯体スラブ面をそのまま利用した床面から、オーバーフローした水を充分に円滑に排水能力のある排水管に導くことができれば、本来の水の拡散作用により水溜りは発生するこはないという考えに基き、水溜まりの発生箇所である床面の部分的な凹み、段差に着目して、本発明に想到した。
【００１１】
すなわち、本発明に係る第１の建物の外部床の床面構造は、建物を構成する建物鉛直部と、対面する前記建物鉛直部の間に挟まれた建物外部床領域に設けられ、かつ前記建物の躯体スラブ面をそのまま利用してで形成されたフラットな防水下地面と、前記防水下地面に固定され、かつ該防水下地面より高いレベルである床面が形成された床層と、前記建物の外部へ通じる排水口を有し、かつ前記床層の床面より低いレベルである底面と前記建物鉛直部及び前記床層の側面とにより囲まれて形成された排水溝と、を設けてなり、前記床層にはその床面の領域を区分けすると共にその端部が前記排水溝に連続した床溝が設けられ、かつ該床溝の深さが前記床面に生じる段差に相当する深さまたは該段差以上の深さとしたものである。
【００１２】
また、本発明に係る第２の建物の外部床の床面構造は、上記何れかの建物の外部床の床面構造に於いて、前記防水下地面と前記床層の間に防水層が形成されたものである。
【００１３】
また、本発明に係る第３の建物の外部床の床面構造は、上記建物の外部床の床面構造に於いて、床面に生じる段差は、躯体スラブ面に設定された不陸の許容公差寸法に相当する深さを考慮したものである。
【００１４】
ここで、建物を構成する建物鉛直部は、外壁、ベランダ等の腰壁、屋上等のパラペット等の建物の部位を言うが、鉛直方向に立ち上がる部位を形成する躯体部品または外装部品を含む。また、建物鉛直部の高さは、外部床に設ける床層の周囲に排水溝が形成できる程度の高さが最低限確保されれば良い。
【００１５】
また、ここで言う建物の構造形式は特に限定されるものではなく、柱や梁等の棒状部材で骨組みを組み立て（軸組）、この骨組に寸法が規格化された工場等で製造された床パネルや外壁パネルを取り付け、これらに荷重を支持させる架構式軸組構造であって良く、また他のパネル式架構構造、ユニット式構造であって良い。更に、在来のＲＣ造や、木造軸組工法であっても良い。また建物の用途は住宅、事務所、店舗など特定の用途には限れらない。
【００１６】
外部床は、ベランダ、バルコニーまたは屋根である屋上床、集合住宅の共用の外廊下である。従って、外部床は、陸屋根であるか、建物の躯体から持ち出したキャンティレバー状のベランダの部位として構成される。
【００１７】
本発明の防水下地面は、建物の躯体スラブ面からなる防水下地面である。すなわち、本発明に係る床構造は、建物の躯体スラブ面をそのまま利用して形成されたフラットな防水下地面を有しており、建物の躯体の施工で構築されたほぼフラットな躯体スラブの表面にセメントモルタルや勾配付き防水下地パネルによる排水勾配を設けない。建物の躯体スラブの表面を防水下地面とし、直接にまたは防水シートを介して、床層である床パネルを設けたもの、または、躯体スラブ面の表面に断熱性を有する勾配のないフラットな防水下地パネル（スタイロフォームやネオマフォームなど）を敷設して防水下地面としても良い。
【００１８】
尚、スラブ（slab）とは、鉛直方向の面荷重を受ける板状のもの。一般には、鉄筋コンクリートの床板と定義される（建築大辞典 第２版）が、本発明における「躯体スラブ」は、鉄筋コンクリート躯体の床スラブに限られず、例えば軽量気泡コンクリートパネルを使用する鉄骨架構式軸組構造の建物躯体の場合は、規格化された軽量気泡コンクリート床パネルを敷き詰めて目地モルタルで一体化して形成したものをいい、木質系構造である建物躯体の躯体床スラブは、木質系材料を用いた床パネルを一体的に構成した床面を言う。
【００１９】
床層は、例えば、その表面に予め設定された深さを持った床溝を有する寸法が規格化された床パネルを躯体スラブ面からなる防水下地面に配置することで構成される。
【００２０】
床層と躯体スラブ面からなる防水下地面の間に雨水等が滞留しないように、水密的に固定することが好ましい。防水下地面または防水層に対する床層の固定方法としては、耐水性のあるシーリング材、接着材またはモルタルにて固定する方法がある。
【００２１】
また、床層を構成する床パネルである防水性を有する合成樹脂板や表面に防水コーティングまたは防水ライニングしたパネル等を使用し、床パネルどうしの間にシーリング材を打設することで、床構造全体の防水性を確保することが好ましい。
【００２２】
さらに床層と建物鉛直部である壁との間に構成された排水溝にも防水施工することが必要である。この場合、排水溝には、例えば、塗布防水を施すことが考えられる。
【００２３】
本発明に係る床構造の防水については、躯体スラブ面からなる防水下地面と床層の間に別途防水層を構成しても良い。防水層の構成は特に限定するものではなく、樹脂製シートによる防水層、アスファルトルーフィングによる防水層、または防水塗料の塗布による防水層を選択的に採用することが可能である。
【００２４】
この場合、床層を構成する床パネル自身は、必ずしも防水性能を付与しなくてもよく、特別な防水性能を有することのない床パネルとしては、例えば、コンクリート板、セメント系成形品、木製パネル等がある。このような床パネルは、寸法を規格化して作業性よくユニット化されたものを用いることが好ましい。
【００２５】
床層の床面に構成される床溝は該床面の領域を区分けして形成される。床溝によって区分けされた領域の寸法や面積は限定するものではなく、降雨量や散水量を想定して設定することが好ましい。例えば、床溝を１００ｍｍピッチで格子状に設けることが可能である。また、このピッチは建物に設定されたモジュール寸法に対応させることが好ましい。このように、モジュール寸法に対応させることで、躯体を構成する部材の配置に対応させて床パネルを固定することで、床層を構成することが可能となる。
【００２６】
床溝の深さは、床層の床面に予め設定された不陸の許容公差寸法と等しいか、または大きい。ここで、躯体スラブ面の不陸の許容公差は、躯体を構成する梁の撓みや床板の段差など部品製造寸法の精度や躯体の組立時の施工の精度を考慮した誤差の最大寸法と最小寸法との差をいい、いわば躯体の組立施工の許し代である。この不陸の許容公差寸法には、躯体スラブ面に加えて防水下地パネル面および防水シート面により生じる不陸を考慮しておくことも可能である。しかし、溝幅の寸法は特に限定するものではなく、降雨量や散水量を想定して適宜設定することが好ましい。
【００２７】
本発明に於いて、床面に注がれた水の排水は勾配に基づく流れを期待するものではなく、床溝に於ける水位の上昇に伴う排水溝への流れ（オーバーフロー排水）を期待するものである。このため、予め降雨量や散水量を想定し、想定した水量に応じて床面単位面積あたりの床溝の容量を設定することで、短時間に多量の水が注がれた場合でも、この水を円滑に排水することが可能である。即ち、床溝のピッチや幅寸法を降雨量や散水量を想定して設定することで、円滑な排水を実現することが可能となる。
【００２８】
また床溝は端部が排水溝につながり、連続して構成される。従って、床面に注がれた水は水の自然拡散作用により該床面を区分けした床溝に落下し、該床溝を通って排水溝に注がれることで排水される。この排水溝は、原則として床層の全周囲に形成するが、全周囲の一部分に形成してもよい。
【００２９】
建物の外部に通じる排水口は排水溝に形成されている。この排水口には排水配管が接続され、オーバーフロー排水は、排水口から排水配管を経て、建物の外部に排水される。
【００３０】
次に本発明の基本的な技術思想について説明をする。一般に建築物を現場で構築する際には、柱の建て入れ精度や水平面（床面など）不陸精度を含む組立精度は予め設定された許容公差範囲内に納まるように検査が行われた上で次工程（防水工事）に進む。特に工業的に生産された骨組みを有する建物では、柱や梁の寸法精度も一定の範囲に納まり建物躯体の組立て精度も高い。
【００３１】
したがって、建物の躯体完成後の躯体床スラブ面の不陸は、許容公差範囲内となる。
【００３２】
このため、本発明では、躯体スラブ面または防水下地パネル等からなる防水下地面に床層を形成すると共に、該床層の床面に予め設定された不陸の許容公差寸法の最大値と等しいか又は大きい深さを持った床溝を形成した。床層の床面の不陸の発生に最も影響ある誤差は、躯体スラブ面の誤差であるため、本発明では少なくとも躯体スラブ面の不陸の許容公差寸法を考慮する。
【００３３】
さらには、躯体スラブ面に敷設される防水下地パネルで形成される面の不陸や防水シート面の不陸の誤差を考慮にいれてもよい。これらの材料は工業製品であるため、その規格寸法も精度が高く、床面の不陸への影響が少ないからである。
【００３４】
そして、床層は、排水勾配を設けないフラットな外部床であり、外部床の周囲に排水溝を設け、降雨時や清掃等の散水時に外部床の床面に注がれた水は床溝を経由して排水される。 このとき、躯体スラブ面等の不陸によって床面に滞留する水溜まりを床溝によって吸収し、床層の表面に水溜りを生じさせない。
【００３５】
本発明において、外部床に生じる不陸は、例えば集合住宅の外廊下等の外部床において水溜りが発生しやすい外廊下幅方向の中央部分が低くなる場合に顕著に効果を発揮するが、中央部分が高い場合にも当然に効果を発揮する。また、凸凹が連続する波打つような不陸が発生している場合にも好適である。特に集合住宅の外廊下の長手方向や戸建て住宅の比較的面積の大きなベランダの外部床の場合である。
【００３６】
本発明において、集合住宅の外廊下の幅方向の中央部分が低くなる場合には、その部分の水溜まりの最高水位は、外部床面の最も低い位置の床溝と同じか下位になる。例えば（１）外部床面の両端部（床溝の底面）がほぼ同じ高さにある場合には、この両端部を結ぶ水平線が床溝の水溜りの最高水位となり、（２）外部床面の両端部（床溝の底面）の何れかが低い場合には、低い方の端部に水が溜まったときに最高水位となる。
【００３７】
本発明では、外部床の床面に排水勾配を設けずに、降雨時や清掃等の散水時に外部床の床面に注がれた水は床溝に流れ込み、一時的に水を貯留するが、流れ込んだ水が床溝の貯水容量に達し、前記最高水位を超えた水は、床溝の端部から排水溝に排水される（オーバーフロー排水）。このように、床溝には最大限前記最高水位までの水が溜まるが、このときの水面は床面よりも下位にあり、床面に水溜まりが生じることはない。そして、床溝に溜まった水は雨がやみ、または散水を終えた後、自然蒸発する。
【発明の効果】
【００３８】
本発明に係る建物の外部床の床構造によれば、建物の外部床の床面に排水のための勾配を設けなくても水溜りが生じることがない。建物の設計計画段階である実施設計において排水勾配の設計を行ったり、その施工管理も省くことができ、工期の短縮をはかることができる。
【００３９】
本発明に係る第１の建物の外部床の床構造（以下単に「床構造」という）では、住宅等の建物のベランダや屋根、または外廊下等の外部床領域に予め設定された許容誤差などにより床面に段差が生じたとしても、この外部床領域の表面に被った水が四方に拡散するときに、床溝が床面の段差により生じる水溜りを一次的に貯留できる。このため、水は段差が生じた位置の周辺の床溝に貯留され、自然蒸発するまで大きな水溜りが生じることがない。
【００４０】
段差が生じた位置の周辺で生じる水溜りは、水量の増加に応じて大きな貯留容量が必要な場合、床溝からあふれ出ない高さを維持しつつ、水の拡散作用により床面に設けた床溝内を拡散する。即ち、貯留長さが延長される。そして、水量が更に増加して床溝の貯留容量が不足したとき、溢れた水は排水溝に流れ込み、さらには、排水口により外部へ排出される。
【００４１】
従って、外部床に予め設定された許容公差に基づく段差が生じたとしても、床溝が段差に相当する深さ、またはそれ以上の深さを有するため、外部床に注がれた水は先ず床溝に貯留され、該床溝に於ける水位の上昇に伴って該床溝の端部から排水溝に溢れ込むことになる。このように、外部床に段差が生じても貯留水位は床溝の深さの範囲を越えることがなく、注がれた水が外部床の表面に溢れることがない。床溝に貯留された水は容易に自然蒸発し、長期にわたる水溜まりが生じることもない。
【００４２】
また本発明に係る第２の床構造では、躯体スラブ面である防水下地面に防水層を施工し、この防水層の上に床層を敷設すればよいので、確実な防水層を形成する工事と、水溜りの解消のための工事が影響し合うことなく、縁を切ることができ、施工管理がしやすい。
【００４３】
また本発明に係る第３の床構造では、少なくとも、予め設定された許容公差寸法内の精度を保証された躯体スラブ面をそのままの状態で床下地面として利用するので、建物の躯体の施工状態を検査することにより施工の品質、部品の組立の精度が予め設定された施工基準内の許容公差範囲に納まっていることが保証されるため、これを確認することによって、確実に水溜りの発生を防止することができる。
【００４４】
本発明の第１〜第３の床構造では、特に集合住宅の外廊下にように複数の玄関や階段などが集中し、水溜りを避ける部位をたくさん有する場合に顕著に奏功する。
【発明を実施するための最良の形態】
【００４５】
以下、本発明に係る床構造の最も好ましい形態について説明する。本発明の床構造は、建物の外部に構成されたベランダや屋根、または外廊下等の雨水や清掃時に水がかかる床面の構造であって、多量の水がかかったとしても床面に水溜まりが形成されることのない床構造に関するものである。
【００４６】
本発明に係る基本的な床構造の実施形態について図を用いて説明する。図１は本実施形態に係る床構造を説明する模式断面図である。図２は本発明に係る床構造に於ける特徴的な構成を説明する図である。図３は図２に対し直交方向の構成を説明する図である。図４は断熱板を有する防水下地を構成した床構造の構成を説明する図である。図５は床面に注いだ水が流れる様子を順に説明する図である。図６は本発明に係る床構造を適用した一般的な集合住宅の外廊下の透視図である。
【実施例１】
【００４７】
以下図１〜６により、本発明に係る床構造Ａについて説明する。床構造Ａは、建物の躯体を構成する躯体スラブ１を利用して構成されており、この躯体スラブ１の上面に図１に示すように床層２が構成され、該床層２の上面が床面２ａである。図１は図６に示す集合住宅の外廊下の幅方向の断面図である。躯体スラブ１は、予め設定された許容公差範囲内の不陸が許容されているものの、基本的には水平面として構成されている。
【００４８】
床層２は、躯体スラブ１の上部に多数の床パネル３を敷き込んで構成されている。この床パネル３は予め設定された平面寸法と厚さを持ったタイル状のパネルであり、表面には床溝３ａが格子状に形成されている。床パネル３の平面寸法（縦寸法及び横寸法）は特に限定するものではないが、建物に設定されたモジュール寸法の正数倍の寸法を有することが好ましい。また厚さについても特に限定するものではなく、施工性を考慮して適宜設定することが好ましい。
【００４９】
床パネル３に形成された床溝３ａは、深さ（ｄ、図２参照）が躯体スラブ１に対し予め設定された不陸を含む垂直方向の許容公差寸法の最大値（ｈ、図２参照）と等しいか、それ以上の寸法を有している。なお、床溝３ａの深さｄは、床パネル３の厚さの１／２程度かそれよりも小さい寸法であることが好ましい。また、床溝３ａの深さｄは、床パネル３の強度を勘案して適宜設定すればよい。
【００５０】
例えば、躯体スラブ１の垂直方向の許容公差寸法の最大値ｈが５ｍｍであり、床パネル３の厚さが３０ｍｍとした場合、床パネル３に形成される床溝３ａの深さｄは５ｍｍ〜約１０ｍｍの範囲内である。また床溝３ａの幅寸法は、予め排水し得る雨量を想定して設定することが好ましく、本実施例では約５ｍｍに設定されている。
【００５１】
また床パネル３に形成される床溝３ａのピッチは、床パネル３の平面を略等分し得る寸法であることが好ましく、本実施例では約１００ｍｍに設定されている。
【００５２】
床層２を構成する床パネルは、壁２０に対し所定寸法離隔し配置されている。壁２０と床層２を構成する床パネル３の壁２０と対向する側面３ｂは排水溝１０の寸法に応じた距離離隔しており、これらの間に床パネル３の厚さと等しい深さを持ち、底面１０ａにより囲まれた排水溝１０が構成されている。
【００５３】
上記の如く、排水溝１０は躯体スラブ１の上面に構成されため、排水溝１０の底面１０ａは勾配の内平坦な面として構成されている。この排水溝１０には底面１０ａに開口した排水口１１が設けられており、該排水口１１に図示しない建物の外部に設置した地中配管に接続された排水管１２が接続している。従って、排水溝１０に流れ込んだ水は底面１０ａから水位を上昇させて排水口１１に流れ込み、排水管１１を通って建物の外部に排水される。
【００５４】
躯体スラブ１はそれ自体が防水性を発揮し得るものではない。このため、排水溝１０は高い防水性能を発揮することが要求される。また床層２を構成する床パネル３としては防水性を有するものと、防水性を有しないものとを選択的に用いることが可能である。
【００５５】
例えば、防水性を有しない床パネルとしてはコンクリート板、セメント系成形品、木製パネル等があり、防水性を有する床パネルとしては合成樹脂板や表面に防水コーティング或いは防水ライニングしたパネルがある。
【００５６】
防水性を有することのない床パネル３を用いた場合、図１（ａ）に示すように、躯体スラブ１の上面全体に防水層４を施工すると共に壁２０に立ち上げて施工し、この防水層４の上面に床パネル３を敷き込むことで、排水溝１０を含む床構造Ａの全体を防水性を発揮させることが可能となる。
【００５７】
また防水性を有する床パネル３を用いた場合、同図（ｂ）に示すように、排水溝１０に対応させて壁２０から底面１０ａを経て床パネル３の側面３ｂに至る間に防水層４を構成し、且つ各床パネル３の接続部に形成される目地にシーリング５を施すことで、床構造Ａの全体を防水性を発揮させることが可能となる。
【００５８】
なお、排水溝１０の構造は、後述する図８に示すように、床層２を構成する床パネル３の側面３ｂと対向する建物の鉛直部の部材の構成に応じて多少異なって構成されている。
【００５９】
上記の如く構成された床構造Ａでは、図２に示すように、躯体スラブ１には予め設定された許容公差の最大値ｈの不陸が生じることが許容される。この場合、複数の床パネル３を敷き込んで構成された床層２にも躯体スラブ１の不陸に伴う不陸が生じるが、床層２の不陸も許容公差の最大値ｈの範囲にある。
【００６０】
一方、床パネル３に形成された床溝３ａの深さｄは許容公差の最大値ｈと等しいか大きい（本実施例ではｄ＞ｈとして構成されている）ため、床層２の床面２ａに連続して構成された床溝３ａの端部に於ける低い方の底面が該床溝３ａに於ける最高水位を決定することとなる。そして床溝３ａに流れ込んだ水が全体の床溝の貯水容量に達し、最高水位を超えたとき、この水は床溝３ａの端部から排水溝１０に溢れだすこととなる。
【００６１】
例えば、床溝３ａの両端部分の底面の高さが同じである場合、この両端部分を結ぶ線が最高水位の水面６となる。この場合、床層２の床面２ａの最も低い位置と最高水位の水面６との差は、床溝３ａの深さｄから不陸の許容公差の最大値ｈを引いた寸法となり、最高水位の水面６が床層２の床面２ａを越えることはない。従って、床層２の床面２ａに水溜まりが生じることがない。
【００６２】
図３は図２に記載された方向に対し直交する方向の断面を示す図であり、後述する図６の外廊下の奥行き長さ方向の断面図である。図に示すように、躯体スラブ１は複数の軽量気泡コンクリート（ＡＬＣ）床版を梁１３によって支持して構成されている。また躯体スラブ１を構成するＡＬＣ床板は両端が梁１３によって支持され、中央部に対応する部分が沈んだ状態で連続し、波を打った躯体スラブ１面のうえに床層２が敷設されている。
【００６３】
従って、ＡＬＣ床版の撓みにより躯体スラブ１に許容公差の最大値ｈ以内の不陸が生じている。このような場合にも上記した床パネル３に形成された床溝３ａの深さｄを許容公差の最大値ｈと等しいか大きく（本実施例ではｄ＞ｈとして構成されている）なるようにすればよい。
【００６４】
図４は躯体スラブ１面の上に敷設した断熱材からなる防水下地パネル１４と、床層２である床パネルとの間に防水層４である樹脂製の防水シート２６が敷設された床構造である。防水シートの継ぎ目部２６ａ（隣接して敷設する防水シート同士に重ね代を確保して溶接着した部分）により防水シートの厚さ（２ｍｍ）分の段差が生じており、床層２を構成する床パネル３が波を打った状態であり、床面は凸凹が生じている。
【００６５】
この場合は、床溝３ａの深さｄは、躯体の許容公差の最大値ｈにさらに防水下地パネル１４の許容公差ｈａと防水シート２６の許容公差ｈｂを加えた値に等しいか、大きくすればよい（ｄ＞ｈ＋ｈａ＋ｈｂ）。
【００６６】
次に、床構造Ａに降った雨水の流れ方について図５により説明する。同図（ａ）に示すように、予め格子状に形成された床溝３ａによって床層２の床面２ａは多数の領域に区分けされている。この床面２ａに満遍なく降った雨水は、同図（ｂ）に示すように、床面２ａから四方（矢印方向）に拡散して各領域を区分けする床溝３ａに落下して滞留する。
【００６７】
各床溝３ａに滞留した雨水は降雨量の増加に伴って水位が上昇し、同図（ｃ）に示すように、水面の水位が床溝３ａの両端部に於ける底面を越えたとき、オーバーフローした雨水は床溝３ａの端部から排水溝１０に流れ込む。排水溝１０に流れ込んだ雨水は、同図（ｄ）に示すように、雨量の増加に伴って水位が上昇し排水口１１から建物の外部に排水される。
【００６８】
上記の如く、床構造Ａには積極的な水勾配が形成されず、降った雨水を水勾配に従って流下させる機能はない。しかし、水位の上昇に伴う例えば床溝３ａから排水溝１０へのオーバーフロー、及び排水溝１０から排水口１１へのオーバーフローによって円滑な排水を実現することが可能である。
【実施例２】
【００６９】
本実施例に於いて、床構造Ａは、図７、８に示す集合住宅の外廊下Ｂに適用されている。尚、図７は本発明に係る床構造を集合住宅の外廊下に適用した実施例を説明する平面図である。図８は排水溝の構成を説明する図であり図７の要部の断面図である。
【００７０】
本実施例の集合住宅は複数のアパート３１と戸建て住宅３２が同一の階層に配置されて構成されている。そして外廊下Ｂは各アパート３１、戸建て住宅３２を巡って構成されており、周囲が建物の躯体を構成する外壁２０ａやベランダの腰壁２０ｂを含む壁２０に囲まれ、所定位置に階段２１が設けられている。
【００７１】
図８は、図７の各部位の詳細断面図である。図８（ａ）は壁２０が腰壁２０ｂによって構成されており、該腰壁２０ｂに沿って排水溝１０が形成されている状態を示している。躯体スラブ１の上面から腰壁２０ｂの床層２の床面２ａよりも充分に高い位置までの間に防水下地鋼板２５が配置されると共にねじ２７によって躯体スラブ１、腰壁２０ｂに固定されている。そしてこの防水下地鋼板２５の上面に防水シート２６が接着剤等を用いて固定され、これにより防水層４が構成されている。従って、排水溝１０は底面１０ａから高い位置まで充分な防水性を持って構成されている。
【００７２】
同図（ｂ）は壁２０が外壁２０ａによって構成されており、躯体スラブ１の上面から外壁２０ａの充分に高い位置までの間に防水下地鋼板２５が配置されると共にねじ２７によって躯体スラブ１、腰壁２０ｂに固定されている。この防水下地鋼板２５の上面に防水シート２６が接着剤等を用いて固定されることで防水層４が構成されている。従って、排水溝１０は底面１０ａから高い位置まで充分な防水性を持って構成されている。
【００７３】
同図（ｃ）は排水溝１０が戸建て住宅３２の玄関ドア３２ａに対向した状態を示している。戸建て住宅３２では、バリアフリーの観点から、玄関床３２ｂと外廊下Ｂの床面２ａとの段差を可及的に小さくするように構成されている。このため、排水溝１０は深さが床層２を構成する床パネル３の厚さと略等しい寸法で構成されている。
【００７４】
同図（ｄ）は排水溝１０がアパート３１の玄関ドア３１ａに対向した状態を示している。アパート３１では玄関床３１ｂの高さを外廊下Ｂの床面２ａと略等しくするということは必ずしも必要ではなく、このため、玄関床３１ｂは床面２ａよりも充分に高く構成されている。このため、排水溝１０は玄関ドア３１ａの下枠の高さいっぱいに構成されている。
【００７５】
尚、上記実施形態は集合住宅の外廊下を中心に説明したが、住宅の用途や部位はこれに限るものではなく、前述したように本発明は、建築物一般の外部床に適用可能である。
【産業上の利用可能性】
【００７６】
本発明に係る床構造では、高い精度が保証された躯体スラブ面をそのまま利用して外部床を構成することが可能となり、且つ円滑な排水を実現することが可能である。このため、建物の屋根やベランダ、外廊下等の雨水が降り注ぎ、或いは清掃時に散水する可能性のある床に適用して有利である。
【図面の簡単な説明】
【００７７】
【図１】本実施例に係る床構造を説明する模式断面図である。
【図２】本発明に係る床構造に於ける特徴的な構成を説明する図である。
【図３】図２に対し直交方向の構成を説明する図である。
【図４】断熱板を有する防水下地を構成した床構造の構成を説明する図である。
【図５】床面に注いだ水が流れる様子を順に説明する図である。
【図６】本発明に係る床構造を適用した一般的な集合住宅の外廊下の透視図である。
【図７】本発明に係る床構造を集合住宅の外廊下に適用した例を説明する平面図である。
【図８】排水溝の構成を説明する図であり図５の要部の断面図である。
【符号の説明】
【００７８】
Ａ                        床構造
Ｂ                        外廊下
１                        躯体スラブ
２                        床層
２ａ                      床面
３                        床パネル
３ａ                      床溝
３ｂ                      側面
４                        防水層
５                        シーリング
６                        水面
１０                      排水溝
１０ａ                    底面
１１                      排水口
１２                      排水管
１３                      梁
１４                      防水下地パネル
２０                      壁
２０ａ                    外壁
２０ｂ                    腰壁
２１                      階段
２５                      防水下地鋼板
２６                      防水シート
２６ａ                    防水シートの継ぎ目部
２７                      ねじ
３１                      アパート
３１ａ                    玄関ドア
３１ｂ                    玄関床
３２                      戸建て住宅
３２ａ                    玄関ドア
３２ｂ                    玄関床
【図１】
2008156828.tif 000003
【図２】
2008156828.tif 000004
【図３】
2008156828.tif 000005
【図４】
2008156828.tif 000006
【図５】
2008156828.tif 000007
【図６】
2008156828.tif 000008
【図７】
2008156828.tif 000009
【図８】
2008156828.tif 000010